(57)【特許請求の範囲】
【請求項１】
複数の二次電池を相互に接続してなる二次電池ユニットと、複数のキャパシタセルを相互に接続してなるキャパシタとを備える電源システムであって、
前記二次電池ユニットは、前記複数の二次電池を収容する二次電池ケースを有し、
前記キャパシタは、前記複数のキャパシタセルを収容するキャパシタケースを有し、
前記二次電池ユニットとキャパシタとは、前記二次電池ケースとキャパシタケースとを接触させて設けられることを特徴とする電源システム。
【請求項２】
請求項１記載の電源システムが搭載された移動装置であって、
前記二次電池ユニットおよびキャパシタは、前記移動装置の内部空間に搭載され、該内部空間は、該移動装置が移動したときに、該移動装置外の空気を該内部空間に流入させる流入部と、流入した流入空気を該内部空間から流出させる流出部とを備えることを特徴とする移動装置。
【請求項３】
請求項２記載の移動装置が車両である場合において、
前記流入部と前記内部空間とが前記車両のセンタトンネルによって連通され、
前記二次電池ユニットは、その上方と下方のいずれか一方または両方に前記センタトンネルと連通する通気空間を空けて配置される共に、前記車両の左方および右方から前記キャパシタで挟まれていることを特徴とする車両。
【請求項４】
請求項３記載の車両において、
前記二次電池ユニットは、該二次電池ユニットを冷却する冷却ファンを備えることを特徴とする車両。
【請求項５】
請求項３または４記載の車両において、
前記キャパシタと並列に接続された燃料電池ユニットと、
入力部が前記燃料電池ユニット及び前記キャパシタに並列に接続されると共に、出力部が負荷に接続され、前記燃料電池ユニット及び前記キャパシタの出力電圧を昇圧して、該昇圧した電圧による電力を該負荷に供給する昇圧手段と、
前記昇圧手段の出力部と前記二次電池ユニットとの間に設けられた電圧変換手段と、
前記電圧変換手段の作動を制御して、前記電圧変換手段を介した前記二次電池ユニットから前記負荷への電力供給と、前記電圧変換手段を介した前記昇圧手段から前記二次電池ユニットへの電力供給による前記二次電池の充電とを実行する電子制御ユニットと
を備えることを特徴とする車両。
【発明の詳細な説明】
【技術分野】
【０００１】
本発明は、二次電池とキャパシタとを備える電源システムに関し、特に、燃料電池、キャパシタ及び二次電池を備えて車両に搭載される燃料電池電源システム、および電源システムが搭載される車両等の移動装置に関する。
【背景技術】
【０００２】
近年、電動機を駆動源とする燃料電池車両、シリーズ型ハイブリッド車両や、電動機と内燃機関とを駆動源として組み合わせたパラレル型ハイブリット車両等が実用化されている。例えば、燃料電池車両においては、特許文献１に見られるように、蓄電手段としてのキャパシタ（電気二重層キャパシタ）と二次電池とを搭載し、キャパシタの自己放電による電力低下を二次電池で補うようにしたものが知られている。
【０００３】
ここで、二次電池としては、ニッケル水素二次電池、リチウムイオン二次電池等であって、かかる二次電池は、一般的に電池ケースの内部で複数の電池を相互に接続してなる組電池（電池ユニット）の形で用いられる。そして、前記車両に搭載される二次電池ユニットは、該車両の駆動源に電力を安定的に供給するために多数の電池により構成される。
【０００４】
このように、車両に搭載される二次電池ユニットが大型化すると、その内部の熱が外部に放熱され難くなり、充放電に伴う発熱により二次電池ユニット全体の温度が上昇すると共に、これを構成する各電池間に温度差を生じ得る。二次電池は、その使用温度範囲を超える高温状態で使用した場合には性能劣化が大きくなる。そのため、温度上昇を抑制して性能劣化を防止するための対策が必要となる。
【０００５】
例えば、特許文献２の図１に見られるように、冷却ファンにより室内の空気を冷却ダクトを介して二次電池ユニットに供給し、二次電池ユニットを冷却して温度上昇を抑制するようにしたもののほか、二次電池ユニットを構成する各電池の間に間隙（間引き空間）を設けて、二次電池ユニットの内部の放熱を促すものなどが提案されている。
【特許文献１】特開２００６−３２５３９９号公報
【特許文献２】特開平１０−３０６７２２号公報
【発明の開示】
【発明が解決しようとする課題】
【０００６】
しかしながら、冷却ダクトは、その径を小さくするほど、冷却ファンと吸入口との距離が大きくなるほど、曲部の数が多くなるほど、管路抵抗が大きくなる。車両に大型の二次電池ユニットを搭載する場合には、室内空間の確保等の観点から二次電池ユニットの配置や冷却ダクトの配管が制限されため、ある程度管路抵抗の大きな冷却ダクトを採用しなければならない場合が多い。その結果、管路抵抗の大きなダクトで大型の二次電池ユニットを冷却するために、冷却ファンを大型化するか、冷却ファンの出力を高めなければならず、冷却ファン作動時の作動音が増大し、冷却ファンでの消費電力が上昇するという不都合が生じる。
【０００７】
一方で、二次電池ユニットを構成する各電池の間に間隙（間引き空間）を設けた場合には、かかる間隙の体積だけ二次電池が大型化し、その搭載のためにより広いスペースが必要となる。
【０００８】
本発明は、このような背景に鑑みてなされたものであり、二次電池ユニットとキャパシタとを備える電源システムにおいて、システムの省スペース化を実現しながら確実に二次電池ユニットの温度上昇を抑制することができる電源システム、および電源システムが搭載された移動装置を提供することを目的とする。
【課題を解決するための手段】
【０００９】
上記目的を達成するために、本発明は、複数の二次電池を相互に接続してなる二次電池ユニットと、複数のキャパシタセルを相互に接続してなるキャパシタとを備える電源システムであって、前記二次電池ユニットは、前記複数の二次電池を収容する二次電池ケースを有し、前記キャパシタは、前記複数のキャパシタセルを収容するキャパシタケースを有し、前記二次電池ユニットとキャパシタとは、前記二次電池ケースとキャパシタケースとを接触させて設けられることを特徴とするものである（第１発明）。
【００１０】
かかる第１発明は、二次電池ユニットに加えてキャパシタを備える電源システムにおいて、二次電池ユニットの熱を伝達させる対象としてキャパシタが選択されている。キャパシタは、二次電池に比して比熱が大きいことに加えて、キャパシタセルのサイズも大きい。これに対して、二次電池ユニットは、サイズの小さな二次電池を並列化して構成される。そのため、キャパシタは、二次電池ユニットに比して熱容量が大きく、過度に体積を増やさなくても、二次電池ユニットの熱を吸収しつつキャパシタ自体の温度上昇を抑制することができる。これにより、大きな熱容量を得るためにキャパシタを大型化させる必要がなく、電源システム全体の省スペース化を図ることができる。
【００１１】
また、第１発明では、二次電池ユニットとキャパシタとを接触させて設けることにより、二次電池ユニットとキャパシタとを各々設けて場合に比して、デッドスペースを少なくして電源システム全体の省スペース化を図ることができる。
【００１２】
さらに、第１発明では、一般的に充放電による発熱量が大きな二次電池ユニットを、該二次電池ユニットよりも発熱量が小さなキャパシタと接触させることにより、二次電池ユニットの熱をその二次電池ケースからキャパシタケースへと伝達させる。このとき、二次電池ケースとキャパシタケースとの間の熱伝達率を大きくすることにより、二次電池ユニットの熱をキャパシタ側に確実に伝達させることができる。そして、上述のように、キャパシタ側に熱を伝達させても、キャパシタの比熱や熱容量からその温度上昇が抑制されるため、キャパシタの性能を維持することができる。
【００１３】
このように、第１発明の電源システムによれば、熱交換することによりシステムの省スペース化を実現しながら確実に二次電池ユニットの温度上昇を抑制することができる。
【００１４】
上記目的を達成するために、本発明の移動装置は、第１発明の電源システムが搭載され、前記二次電池ユニットおよびキャパシタは、前記移動装置の内部空間に搭載され、該内部空間は、該移動装置が移動したときに、該移動装置外の空気を該内部空間に流入させる流入部と、流入した流入空気を該内部空間から流出させる流出部とを備える（第２発明）。
【００１５】
かかる第２発明によれば、二次電池ユニットは、移動装置の移動時に流入空気が流れる内部空間に配置されるため、流入空気を冷却媒体として、二次電池ユニットおよびキャパシタを冷却することができる。これにより、冷却ダクトや冷却ファン等の構成を簡素として、簡易に二次電池ユニットの温度上昇を抑制することができる。
【００１６】
なお、移動装置は、自動車や二輪車等の車両のほか、飛行機、船舶、ロボット等の種々の移動体を包含するものである。
【００１７】
上記目的を達成するために、本発明の車両は、第２発明の移動装置が車両である場合に、前記流入部と前記内部空間とが前記車両のセンタトンネルによって連通され、前記二次電池ユニットは、その上方と下方のいずれか一方または両方に前記センタトンネルと連通する通気空間を空けて配置される共に、前記車両の左方および右方から前記キャパシタで挟まれている（第３発明）。
【００１８】
かかる第３発明によれば、センタトンネルは、当該車両の中央に前後方向に伸びるトンネルであるため、前方や後方各部からの外部空気の取り込みが容易である。そして、当該車両の走行時には、例えば、その車速に応じた流入空気がセンタトンネル内を流れ、該流入空気を通気空間を介して二次電池ユニットの上下いずれか一方または両側に流すことで、二次電池を効率よく冷却することができる。
【００１９】
また、かかる第３発明によれば、二次電池ユニットを車幅中央に配置し、当該車両の左右方向からキャパシタで挟むことで、車両を上下方向や前後方向に拡張することなく、車両の左右対称性を生かして、例えば、当該車両のリアシート下方域の限られたスペースに二次電池およびキャパシタをレイアウトすることができる。
【００２０】
さらに、第３発明によれば、二次電池ケースとキャパシタケースで挟むことで、これらの接触面積を大きくすることができると共に、二次電池ユニットの熱を該二次電池ユニットを挟む両側のキャパシタへと効率よく逃すことができ、該二次電池ユニット全体的の温度上昇を平均化でき、さらに確実に温度上昇を抑制することができる。
【００２１】
前記第３発明において、前記二次電池ユニットは、該二次電池ユニットを冷却する冷却ファンを備えることが好ましい（第４発明）。
【００２２】
かかる第４発明における冷却ファンは、主に当該車両の停車時等のように流入空気による冷却が期待できない場合に、強制的に空気の流れを作るためのものであり、これにより、流入空気による冷却を車両の停車時に補完することができると共に、車両の走行時には補助することもできる。
【００２３】
前記第３または第４発明において、前記キャパシタと並列に接続された燃料電池ユニットと、入力部が前記燃料電池ユニット及び前記キャパシタに並列に接続されると共に、出力部が負荷に接続され、前記燃料電池ユニット及び前記キャパシタの出力電圧を昇圧して、該昇圧した電圧による電力を該負荷に供給する昇圧手段と、前記昇圧手段の出力部と前記二次電池ユニットとの間に設けられた電圧変換手段と、前記電圧変換手段の作動を制御して、前記電圧変換手段を介した前記二次電池ユニットから前記負荷への電力供給と、前記電圧変換手段を介した前記昇圧手段から前記二次電池ユニットへの電力供給による前記二次電池の充電とを実行する電子制御ユニットとを備える（第５発明）。
【００２４】
かかる第５発明によれば、前述のように、電源システムの省スペース化を実現しながら確実に二次電池ユニットの温度上昇を抑制することができるとの作用効果に加えて、次のような作用効果を奏する。
【００２５】
すなわち、前記二次電池ユニットとキャパシタとに加えて燃料電池ユニットを備える車両において、昇圧手段によって燃料電池ユニットおよびキャパシタの出力が昇圧されるため、その分だけ燃料電池ユニットおよびキャパシタの合計出力電圧の低減を図ることができる。
【００２６】
加えて、電圧変換手段を介して二次電池ユニットから負荷に電力を供給することにより、二次電池の出力電力によって、燃料電池ユニットおよびキャパシタから負荷への電力供給をアシストすることができる。そのため、燃料電池ユニットとキャパシタと二次電池ユニットとを相互に補助ないし補完させ、これらから負荷へ安定的に電力を供給することができると共に、燃料電池ユニットにおいて積層されるセルの個数および燃料電池ユニットの体積、ならびにキャパシタや二次電池ユニットの体積の低減を図ることができる。
【００２７】
このように、第５発明によれば、電源システム全体を小型化させることができ、当該車両の内部を電源システム以外のスペースに広く用いることができ、例えば、室内空間を広げること等、車両設計の自由度をも向上させることが可能となる。
【発明を実施するための最良の形態】
【００２８】
本発明の実施の形態について、図１〜図５を参照して説明する。
【００２９】
図１は、本実施形態における燃料電池電源システムの全体構成図である。図１に示すように、本発明の電源システムである燃料電池電源システムは、燃料電池車両１１（本発明の車両に相当する）に搭載されるものであって、燃料電池ユニット１、燃料電池ユニット１と並列に接続された電気二重層キャパシタ２（以下、単にキャパシタ２という）、入力部が燃料電池ユニット１及びキャパシタ２に接続されると共に、出力部がＰＤＵ４（Power Drive Unit）を介して電動機５（本発明の負荷に相当する）に接続された昇圧手段３（Voltage Boost Unit）、及び入力部が昇圧手段３に接続されると共に出力部が二次電池ユニット６（本実施の形態では、リチウムイオンバッテリを使用）に接続された双方向電圧変換手段７（以下、電圧変換手段７という）を備えている。
【００３０】
燃料電池ユニット１は、例えば燃料電池スタックを２５０個直列に接続して構成され、出力電圧が約２２５Ｖ（出力電流０Ａ）〜１８０Ｖ（出力電流２１０Ａ）の範囲で変動するものである。また、キャパシタ２は図示しない複数のキャパシタセルから構成され、出力電圧が２００Ｖを中心とした範囲（約下限１５４Ｖ〜上限２４３Ｖの範囲）で変動するものである。また、二次電池ユニット６は、図示しない複数の二次電池（リチウムイオン電池）を相互に接続してなる電池ユニットであって、出力電圧は約２９０Ｖ〜３５０Ｖの範囲で変動する。
【００３１】
昇圧手段３は、例えば、定格１００kwで昇圧比１．０〜２．５のＤＣ／ＤＣコンバータであって、少なくとも昇圧機能を有し、降圧機能は必要に応じて付加される。また、電圧変換手段７は、例えば、定格１０kwで昇圧比１．０〜２．５の昇降圧可能なＤＣ／ＤＣコンバータである。
【００３２】
さらに、燃料電池電源システムは、二次電池ユニット６と電圧変換手段７との間で、二次電池ユニット６と電圧変換手段７とに並列に接続された補機８とを備える。補機８は、燃料電池ユニット１に水素ガス等の反応ガスを供給するためのポンプ等であって、補機８は、ＰＤＵ９（Power Drive Unit）を介して、二次電池ユニット６及び電圧変換手段７に直結する第２電力供給ラインＬ２に接続されている。尚、本実施形態の燃料電池電源システムにおいて、説明の都合上、燃料電池ユニット１及びキャパシタ２に直結する電力供給ラインを第１電力供給ラインＬ１とし、二次電池ユニット６及び電圧変換手段７に直結する電力供給ラインを第２電力供給ラインＬ２、第１電力供給ラインＬ１を昇圧手段３により昇圧した電力供給ラインを第３電力供給ラインＬ３としている。
【００３３】
燃料電池電源システムは、電子制御ユニット１０を備え、電子制御ユニット１０は、燃料電池ユニット１及び二次電池ユニット６の各々に設けられた図示しない電圧センサ及び電流センサの検出信号を取得し、燃料電池ユニット１及び二次電池ユニット６から出力される電圧、電流及び電力を検知する。
【００３４】
また、電子制御ユニット１０は、キャパシタ２を構成する各キャパシタセルに接続されて各キャパシタセルの出力電圧を検知する電圧センサと、キャパシタ２の端部に設けられてキャパシタ２の出力電流を検知する電流センサとに接続されて、各キャパシタセルの出力電圧と、これらの出力電圧からキャパシタ２全体の出力電圧と、キャパシタ２全体の出力電流と、キャパシタ２全体の出力電力を検知する。さらに、電子制御ユニット１０は、各キャパシタセルの出力電圧を監視する。
【００３５】
さらに、電子制御ユニット１０は、キャパシタ２の出力電圧と出力電流とからキャパシタ２の開路電圧を推定し、推定した開路電圧と該キャパシタ２の残量量（以下、ＳＯＣという）との関係を規定したマップやデータテーブル（以下、マップ等という）を参照して、キャパシタ２のＳＯＣを推定する。また、電子制御ユニット１０は、二次電池ユニット６の出力電圧と出力電流とから該二次電池の開路電圧を推定し、推定した二次電池の開路電圧とＳＯＣとの関係を規定したマップ等を参照して、二次電池ユニット６のＳＯＣを推定する。
【００３６】
また、電子制御ユニット１０は、燃料電池ユニット１の出力、キャパシタ２及び二次電池ユニット６の各ＳＯＣに基づいて、燃料電池ユニット１の作動制御と、昇圧手段３または電圧変換手段７の作動制御とを実行し、燃料電池ユニット１、キャパシタ２及び二次電池ユニット６から電動機５への電力供給と、燃料電池ユニット１からキャパシタ２及び二次電池ユニット６の充電とを行う。
【００３７】
電子制御ユニット１０は、電動機５は当該車両１１が減速する際には発電機として機能するため、車両１１の減速時に電動機５で生じる回生電力を回収して、該回生電力によりキャパシタ２及び二次電池２の充電を実行する。尚、このとき、電子制御ユニット１０は、ＰＤＵ４に備えられた電圧センサ及び電流センサ（図示しない）により、電動機５の回生電力を検知して昇圧手段３または電圧変換手段７の作動制御を実行し、電動機５からキャパシタ２及び二次電池ユニット６への充電とを行う。
【００３８】
なお、本実施形態の燃料電池電源システムにおいて、燃料電池ユニット１と昇圧手段３及びキャパシタ２との間には、ダイオードＤが設けられており、ダイオードＤにより燃料電池ユニット１への電流の流入が禁止されている。また、ダイオードＤに替えてトランジスタ等の他の整流素子を用いることにより、または、キャパシタ２を降圧手段（ダウンコンバータ）を介して燃料電池ユニット１に接続することにより、燃料電池ユニット１への電流の流入を禁止してもよい。
【００３９】
以上が、本実施の形態における燃料電池電源システムの全体構成である。このように、本実施形態の燃料電池電源システムによれば、二次電池ユニット６とキャパシタ２とに加えて燃料電池ユニット１を備え、昇圧手段３によって燃料電池ユニット１およびキャパシタ２の出力が昇圧されるため、その分だけ燃料電池ユニット１およびキャパシタ２の合計出力電圧の低減を図ることができる。加えて、電圧変換手段７を介して二次電池ユニット６から電動機５に電力を供給することにより、二次電池ユニット６の出力電力によって、燃料電池ユニット１およびキャパシタ２から電動機５への電力供給をアシストすることができる。そのため、各電源１，２，６を相互に補助ないし補完させ、これらから電動機５へ安定的に電力を供給することができる共に、燃料電池ユニット１において積層されるセルの個数および燃料電池ユニット１の体積、ならびにキャパシタ２や二次電池ユニット６の体積の低減を図ることができる。
【００４０】
［第１実施形態］
次に、図２および図３を参照して、第１実施形態の燃料電池電源システムにおけるキャパシタ２と二次電池ユニット６の具体的構成について説明する。
【００４１】
図２は、燃料電池車両１１を側方から見た部分断面図であり、図３は、キャパシタ３および二次電池ユニット６のレイアウトを示す斜視図である。図２および図３に示すように、キャパシタ３は、物理的に分離した２つの箱型のキャパシタケース２ａ，２ｂを備え、キャパシタケース２ａ，２ｂにはそれぞれ図示しない所定個数のキャパシタセルが相互に接続された状態で収容されている。一方、二次電池ユニット６は、箱型の二次電池ケース６ａと二次電池ケース６ａに連設して設けられた冷却ファン６ｂを備え、二次電池ケース６ａ内には図示しない所定個数の二次電池が相互に接続された状態で収容されている。
【００４２】
キャパシタ２と二次電池ユニット６とは、二次電池ケース６ａを２つのキャパシタケース２ａ，２ｂで挟んで接触させた状態で、当該車両１１のリアシートの下側で、車両下部フレーム１３との間の内部空間１５に配置される。
【００４３】
なお、キャパシタケース２ａ，２ｂ内は、各キャパシタセル間がスペーサを介して接触しており、内部へ外気を通気させずに外表面から放熱する。また、二次電池ケース６ａ内は、二次電池ユニット６を構成する各二次電池の間に外気を通気して各二次電池の表面から放熱する。
【００４４】
キャパシタケース２ａ，２ｂと二次電池ケース６ａとは、それぞれ所定の熱伝導率を有する合成樹脂製の部材によって構成され、キャパシタケース２ａ，２ｂと二次電池ケース６ａとを接触させた状態での両ケースの間の熱伝達率（例えば、０．２［Ｗ／ｍ２・Ｋ］程度の熱伝達率）となっている。そのため、一般的に充放電による発熱量が大きな二次電池ユニット６内の熱を二次電池ケース６ａからキャパシタケース２ａ，２ｂへの伝達させることができる。
【００４５】
さらに、二次電池ユニット６を構成する各二次電池の比熱χ１（例えば、０．４［Ｊ／ｋｇ・Ｋ］）と、キャパシタ２を構成する各キャパシタセルの比熱χ２（例えば、１．０［Ｊ／ｋｇ・Ｋ］）とは、その材質からχ１＜＜χ２の関係にある。そのため、二次電池ユニット６の発熱量をキャパシタ２に伝達させても、キャパシタ２の温度上昇は小さく、キャパシタ２への影響は小さい。
【００４６】
このように第１実施形態の燃料電池電源システムによれば、二次電池ユニット６をキャパシタ２で挟んで接触させることにより、システム全体の省スペース化を図りながら二次電池ユニット６の温度上昇を確実に抑制することができる。
【００４７】
さらに、二次電池ユニット６は、燃料電池車両１１のセンタトンネル１４に連通する部位、すなわち、車両幅の中央位置に配置され、両側からキャパシタ２によって挟まれた状態となっている。また、二次電池ユニット６の設置部位には、二次電池ケース６ａの上方に上方通気空間１５ａと、下方に下方通気空間１５ｂとが形成さており、上方通気空間１５ａと下方通気空間１５ｂとはそれぞれセンタトンネル１４に連通している。
【００４８】
センタトンネル１４は、アンダーカバーとの間に形成された空間であって、燃料電池車両１１のフロントグリル１７を通して外部に開放されると共に、センタトンネル１４を構成するアンダーカバーには通気孔が設けられており、該通気孔を介してセンタトンネル１４は外部開放されている。また、センタトンネル１４は、二次電池ケース６ａの前面に面すると共に各通気空間１５ａ，１５ｂに連通されており、各通気空間１５ａ，１５ｂは、車両後方の下部フレームにおける間隙等のような流出部（図示省略）を介して外部に開放されている。さらに、通気空間１５ａ，１５ｂと流出部との間には、冷却ファン６ｂが設けられており、冷却ファン６ｂは、二次電池ケース６ａの背面側から通気空間１５ａ，１５ｂの空気を誘引して車両後方側に強制的に対流させる。
【００４９】
このように第１実施形態の燃料電池電源システムによれば、二次電池ユニット６をセンタトンネル１４に連通する部位に配置することにより、燃料電池車両１１の走行時に吸気されてセンタトンネル１４を流れる流入空気を利用して、二次電池ユニット６を冷却することができる。これにより、冷却ダクトや冷却ファン等の構成を不要として、簡易に二次電池ユニット６の温度上昇を抑制することができる。さらに、二次電池ユニット６に冷却ファン６ｂを設けることにより、当該車両１１の走行に応じてセンタトンネル内を流れる流入空気による冷却を補助することや、当該車両１１の停車時に二次電池ユニット６の冷却を行うことができる。
【００５０】
さらに第１実施形態の燃料電池電源システムによれば、二次電池ユニット６を車幅中央に配置し、当該車両１１の左右方向からキャパシタ２（２ａ，２ｂ）で挟むことで、車両１１を上下方向や前後方向に拡張することなく、車両の左右対称性を生かして二次電池ユニット６およびキャパシタ２を効率よくレイアウトすることができる。
【００５１】
［第２実施形態］
次に本発明の第２実施形態を図４を参照して説明する。尚、本実施形態は、キャパシタ２および二次電池ユニット６のケース形状と、冷却ファン１６の設置位置とが相違するものであるので、第１実施形態と同一の構成要素については第１実施形態と同一の参照符号を用いて説明を省略する。
【００５２】
図４は、本実施形態におけるキャパシタ３および二次電池ユニット６のレイアウトを示す斜視図である。図４に示すように、キャパシタ３は、物理的に分離した２つの箱型のキャパシタケース２ａ´，２ｂ´を備え、キャパシタケース２ａ´，２ｂ´にはそれぞれ図示しない所定個数のキャパシタセルが相互に接続された状態で収容されている。一方、二次電池ユニット６は、平面視Ｔ字形状の二次電池ケース６ａ´と二次電池ケース６ａ´に連設して設けられた冷却ファン６ｂを備え、二次電池ケース６ａ´内には図示しない所定個数の二次電池が相互に接続された状態で収容されている。
【００５３】
キャパシタ２と二次電池ユニット６とは、二次電池ケース６ａ´の非対称な突出部６ｃ´を２つのキャパシタケース２ａ´，２ｂ´で挟んで接触させた状態で配置される。このとき、二次電池ケース６ａ´とキャパシタケース２ａ´，２ｂ´とは、キャパシタケース２ａ´，２ｂ´より挟持される挟持面のほか、二次電池ケース６ａ´の対称な２つの突出部分６ｄ´，６ｄ´にも接触面を有する。これにより、キャパシタケース２ａ´，２ｂ´と二次電池ケース６ａ´との接触面積を大きくすることができ、上述の第１実施形態の作用効果に加えて、より効率よく二次電池ユニット６内の熱を二次電池ケース６ａ´からキャパシタケース２ａ´，２ｂ´への伝達させることができる。
【００５４】
尚、この場合、冷却ファン６ｂは、二次電池ケース６ａ´の前面側に設けられて、センタトンネル１４内の空気を誘引して通気空間１５ａ，１５ｂ側へ排気することにより、センタトンネルおよび通気空間１５ａ，１５ｂの空気を車両後方側に強制的に対流させる。
これにより、キャパシタケース２ａ´，２ｂ´と二次電池ケース６ａ´との接触面積を大きくすることができ、上述の第１実施形態の作用効果に加えて、より効率よく二次電池ユニット６内の熱を二次電池ケース６ａ´からキャパシタケース２ａ´，２ｂ´への伝達させることができる。
【００５５】
尚、この場合、冷却ファン６ｂは、二次電池ケース６ａ´の前面側に設けられて、センタトンネル１４内の空気を誘引して通気空間１５ａ，１５ｂ側へ排気することにより、センタトンネルおよび通気空間１５ａ，１５ｂの空気を車両後方側に強制的に対流させる。
【００５６】
［第３実施形態］
次に本発明の第３実施形態を図５を参照して説明する。尚、本実施形態は、キャパシタ２および二次電池ユニット６のケース形状と、冷却ファン１６の設置位置とが相違するものであるので、第１実施形態と同一の構成要素については第１実施形態と同一の参照符号を用いて説明を省略する。
【００５７】
図５は、本実施形態におけるキャパシタ３および二次電池ユニット６のレイアウトを示す斜視図である。図５に示すように、キャパシタ３は、物理的に分離した２つの箱型のキャパシタケース２ａ´´，２ｂ´´を備え、キャパシタケース２ａ´´，２ｂ´´にはそれぞれ図示しない所定個数のキャパシタセルが相互に接続された状態で収容されている。一方、二次電池ユニット６は、平面視Ｌ字形状の二次電池ケース６ａ´´と二次電池ケース６ａ´´に連設して設けられた冷却ファン６ｂを備え、二次電池ケース６ａ´´内には図示しない所定個数の二次電池が相互に接続された状態で収容されている。
【００５８】
キャパシタ２と二次電池ユニット６とは、二次電池ケース６ａ´´の第１突出部６ｃ´´を２つのキャパシタケース２ａ´´，２ｂ´´で挟んで接触させた状態で配置される。このとき、二次電池ケース６ａ´´とキャパシタケース２ａ´´，２ｂ´´とは、キャパシタケース２ａ´´，２ｂ´´より挟持される挟持面のほか、第２突出部６ｄ´´でも一方のキャパシタケース２ａ´´と接触面を有する。
【００５９】
そして、本実施形態では、冷却ファン６ｂは、他方のキャパシタケース２ｂ´´（二次電池ケース６ａ´´と１つの接触面しか有さないキャパシタケース２ｂ´´）の背面側に設けられて、二次電池ケース６ａ´´内の空気を誘引し、さらには通気空間１５ａ，１５ｂの空気を誘引し、キャパシタケース２ａ´´，２ｂ´´の外表面を冷却して車両後方側に強制的に対流させる。
【００６０】
これにより、上述の第１実施形態の作用効果に加えて、キャパシタケース２ａ´´と二次電池ケース６ａ´´との接触面積を大きくして、２次電池ユニット６内の熱を二次電池ケース６ａ´´からキャパシタケース２ａ´´へ効率よく伝達させることができると共に、通気空間１５ａ，１５ｂと連通する図示しない流出部の位置に合わせて、冷却ファンの位置を当該車両後方の左右位置に適宜変更することができる。
【００６１】
なお、上記第１〜第３実施形態では、センタトンネルを外部空気が流れる通風孔として利用しているが、これに限らず、当該車両１１の下部フレームに別途設けられた通風孔等を利用して二次電池ユニット６の冷却を行うようにしてもよい。また、この場合、連通孔の配置に対応させて、該連通孔の他端側が二次電池ユニット６に連通するようにその位置が適宜変更され、外部空気の流入部もフロントグリル１７以外の空気取り入れ口を利用することができる。
【００６２】
また、上記第１〜第３実施形態では、キャパシタ２と二次電池ユニット６とは、二次電池ユニット６を当該車両１１の左右方向からキャパシタ２挟むように配置されたが、これに限定されず、キャパシタ２を車両１１の上下方向からキャパシタ２で挟むように配置してもよい。この場合、通気空間１５ａ，１５ｂは、二次電池ユニット６の左右位置に設けるようにすればよい。また、キャパシタ２を１つとして、キャパシタ２と二次電池ユニット６との接触面積が２つのキャパシタで挟んだ場合と同等となるように、キャパシタ２と二次電池ユニット６とを対向する１面で接触させるようにしてもよい。さらに、これらキャパシタ２および二次電池ユニット６の形状および配置の変更に合わせて、冷却ファン６ｂの配置も適宜変更することができる。
【００６３】
さらに、上記第１〜第３実施形態では、冷却ファン６ｂは、センタトンネル１４および通気空間１５ａ，１５ｂを強制的に当該車両１１の後方側へと対流させるように設けられているが、これに限らず、冷却ファンによる空気の対流の向きが、当該車両１１の後方から前方へ向かう向き、もしくは上部から下部へ向かう向きとなるようにしてもよい。この場合、冷却ファン６ｂは、主に、当該車両１１の停車時に作動させることにより（当該車両１１の車速に応じたセンタトンネル内の流入空気の流れが期待できない場合に）、車両後方から（車両１１の走行時には流出部となる部分から）外部空気を取り入れて、二次電池を冷却することができる。
【００６４】
さらに、吸気位置に関して、車両１１の室内や荷物室内（トランクルーム内）の空気を取り入れて、該空気を冷却媒体として利用し、外部に排出するようにしてもよい。
【００６５】
これにより、車両後方側に設置された二次電池ユニット６により近い位置から外部空気を取り入れてこれに供給することができ、二次電池ユニット６を効率よく冷却することができる。特に、当該車両１１の前方に発熱量の大きな電動機５やＰＤＵ４が配置され、当該車両１１の後方に発熱量の小さい部材（例えば、水素ボンベ等）が配置されている場合には、車両後方から外部空気を取り入れることにより、外部空気が他の部材によって温度上昇することを抑制して、該外部空気により二次電池ユニット６を効率よく冷却することができる。
【００６６】
なお、本実施形態では、車両として四輪自動車を例として説明したが、車両はこれに限定されるものではなく二輪車や鉄道車両等であってもよい。
【図面の簡単な説明】
【００６７】
【図１】本実施形態の燃料電池電源システムの全体構成図。
【図２】第１実施形態における燃料電池車両を側方から見た部分断面図。
【図３】第１実施形態におけるキャパシタおよび二次電池ユニットのレイアウトを示す斜視図。
【図４】第２実施形態におけるキャパシタおよび二次電池ユニットのレイアウトを示す斜視図。
【図５】第３実施形態におけるキャパシタおよび二次電池ユニットのレイアウトを示す斜視図。
【符号の説明】
【００６８】
１…燃料電池ユニット、２…キャパシタ、２ａ，２ｂ，２ａ´，２ｂ´，２ａ´´２ｂ´´…キャパシタケース、３…昇圧手段、５…電動機（負荷）、６…二次電池ユニット、６ａ，６ａ´，６ａ´´…二次電池ケース、６ｂ…冷却ファン、７…（双方向）電圧変換手段、１０…電子制御ユニット、１１…燃料電池車両（移動装置）、１２…リアシート、１３…車両下部フレーム、１４…センタトンネル、１５…内部空間、１５ａ…上方通気空間、１５ｂ…下方通気空間、１６…冷却ファン、１７…フロントグリル（流入部）。
【図１】
0005046294.tif 000002
【図２】
0005046294.tif 000003
【図３】
0005046294.tif 000004
【図４】
0005046294.tif 000005
【図５】
0005046294.tif 000006